(57)【要約】【課題】たとえば、パーソナルコンピュータ等の画面覗き見を防止することができ、情報漏洩の防止が図れる顔照合を用いた電子機器制御装置を提供する。【解決手段】顔画像による顔照合により、パソコンを操作するオペレータがあらかじめ登録されたログオンオペレータであるか判定し、ログオンオペレータでない場合、あらかじめ登録されたログオンオペレータ以外の他のオペレータであるか否かを判定し、ログオンオペレータ以外の他のオペレータでない場合、パソコンに対してあらかじめ定められた所定の制御、たとえば、表示装置に対し警告メッセージを表示したり、表示装置に対し動作をロック（スクリーンロック）したりする。【選択図】      図１
2005115461.tif 000002
【特許請求の範囲】
【請求項１】
電子機器を操作するオペレータの顔画像を取得する画像取得手段と、
この画像取得手段により取得された顔画像をあらかじめ登録されたログオンオペレータの顔画像による第１の辞書情報と照合することにより当該オペレータはあらかじめ登録されたログオンオペレータであるか否かを判定する第１の判定手段と、
この第１の判定手段により当該オペレータはログオンオペレータであると判定された場合、再び前記画像取得手段による顔画像の取得から処理を行なわせる第１の制御手段と、
前記第１の判定手段により当該オペレータはログオンオペレータでないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定する第２の判定手段と、
この第２の判定手段により当該オペレータはログオンオペレータ以外の他のオペレータであると判定された場合、再び前記画像取得手段による顔画像の取得から処理を行なわせる第２の制御手段と、
前記第２の判定手段により当該オペレータはログオンオペレータ以外の他のオペレータでないと判定された場合、前記電子機器に対してあらかじめ定められた所定の制御を行なう第３の制御手段と、
を具備したことを特徴とする顔照合を用いた電子機器制御装置。
【請求項２】
電子機器を操作するオペレータの顔画像を取得する画像取得手段と、
この画像取得手段により取得された顔画像をあらかじめ登録されたログオンオペレータの顔画像による第１の辞書情報と照合することにより当該オペレータはあらかじめ登録されたログオンオペレータであるか否かを判定する第１の判定手段と、
この第１の判定手段により当該オペレータはログオンオペレータであると判定された場合、当該オペレータの少なくとも顔部分の温度分布を測定して温度分布情報を得る温度分布測定手段と、
この温度分布測定手段により得られた温度分布情報とあらかじめ登録された人間の顔部分の温度分布による第３の辞書情報とを照合することにより両情報の間に所定の関係が成立するか否かを判定する第２の判定手段と、
この第２の判定手段により前記温度分布測定手段により得られた温度分布情報と第３の辞書情報との間に所定の関係が成立すると判定された場合、再び前記画像取得手段による顔画像の取得から処理を行なわせる第１の制御手段と、
前記第１の判定手段により当該オペレータはログオンオペレータでないと判定された場合、あるいは、前記第２の判定手段により前記温度分布測定手段により得られた温度分布情報と第２の辞書情報との間に所定の関係が成立しないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定する第３の判定手段と、
この第３の判定手段により当該オペレータはログオンオペレータ以外の他のオペレータであると判定された場合、再び前記画像取得手段による顔画像の取得から処理を行なわせる第２の制御手段と、
前記第３の判定手段により当該オペレータはログオンオペレータ以外の他のオペレータでないと判定された場合、前記電子機器に対してあらかじめ定められた所定の制御を行なう第３の制御手段と、
を具備したことを特徴とする顔照合を用いた電子機器制御装置。
【請求項３】
前記第２の判定手段により前記温度分布測定手段により得られた温度分布情報と第３の辞書情報との間に所定の関係が成立すると判定された場合、前記温度分布測定手段により得られた温度分布情報をあらかじめ登録されたログオンオペレータの顔部分の温度分布による第４の辞書情報と照合することにより当該オペレータはあらかじめ登録されたログオンオペレータであるか否かを判定する第４の判定手段をさらに具備し、
前記第１の制御手段は、前記第４の判定手段により当該オペレータはログオンオペレータであると判定された場合、再び前記画像取得手段による顔画像の取得から処理を行なわせ、
前記第３の判定手段は、前記第１の判定手段により当該オペレータはログオンオペレータでないと判定された場合、あるいは、前記第２の判定手段により前記温度分布測定手段により得られた温度分布情報と第３の辞書情報との間に所定の関係が成立しないと判定された場合、あるいは、前記第４の判定手段により当該オペレータはログオンオペレータでないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定することを特徴とする請求項２記載の顔照合を用いた電子機器制御装置。
【請求項４】
電子機器を操作するオペレータの顔画像を取得する画像取得手段と、
この画像取得手段により取得された顔画像をあらかじめ登録されたログオンオペレータの顔画像による第１の辞書情報と照合することにより当該オペレータはあらかじめ登録されたログオンオペレータであるか否かを判定する第１の判定手段と、
この第１の判定手段により当該オペレータはログオンオペレータであると判定された場合、当該オペレータの少なくとも顔部分の温度分布を測定して温度分布情報を得る第１の温度分布測定手段と、
この第１の温度分布測定手段により得られた温度分布情報とあらかじめ登録された人間の顔部分の温度分布による第３の辞書情報とを照合することにより両情報の間に所定の関係が成立するか否かを判定する第２の判定手段と、
この第２の判定手段により前記第１の温度分布測定手段により得られた温度分布情報と第３の辞書情報との間に所定の関係が成立すると判定された場合、再び前記画像取得手段による顔画像の取得から処理を行なわせる第１の制御手段と、
前記第１の判定手段により当該オペレータはログオンオペレータでないと判定された場合、あるいは、前記第２の判定手段により前記第１の温度分布測定手段により得られた温度分布情報と第３の辞書情報との間に所定の関係が成立しないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定する第３の判定手段と、
この第３の判定手段により当該オペレータはログオンオペレータ以外の他のオペレータであると判定された場合、当該他のオペレータの少なくとも顔部分の温度分布を測定して温度分布情報を得る第２の温度分布測定手段と、
この第２の温度分布測定手段により得られた温度分布情報とあらかじめ登録された人間の顔部分の温度分布による第３の辞書情報とを照合することにより両情報の間に所定の関係が成立するか否かを判定する第４の判定手段と、
この第４の判定手段により前記第２の温度分布測定手段により得られた温度分布情報と第３の辞書情報との間に所定の関係が成立すると判定された場合、再び前記画像取得手段による顔画像の取得から処理を行なわせる第２の制御手段と、
前記第３の判定手段により当該オペレータはログオンオペレータ以外の他のオペレータでないと判定された場合、あるいは、前記第４の判定手段により前記第２の温度分布測定手段により得られた温度分布情報と第３の辞書情報との間に所定の関係が成立しないと判定された場合、前記電子機器に対してあらかじめ定められた所定の制御を行なう第３の制御手段と、
を具備したことを特徴とする顔照合を用いた電子機器制御装置。
【請求項５】
前記第４の判定手段により前記第２の温度分布測定手段により得られた温度分布情報と第３の辞書情報との間に所定の関係が成立すると判定された場合、前記第２の温度分布測定手段により得られた温度分布情報をあらかじめ登録されたログオンオペレータ以外の他のオペレータの顔部分の温度分布による第５の辞書情報と照合することにより当該オペレータはあらかじめ登録されたログオンオペレータ以外の他のオペレータであるか否かを判定する第５の判定手段をさらに具備し、
前記第２の制御手段は、前記第５の判定手段により当該オペレータはログオンオペレータ以外の他のオペレータであると判定された場合、再び前記画像取得手段による顔画像の取得から処理を行なわせ、
前記第３の制御手段は、前記第３の判定手段により当該オペレータはログオンオペレータ以外の他のオペレータでないと判定された場合、あるいは、前記第４の判定手段により前記第２の温度分布測定手段により得られた温度分布情報と第３の辞書情報との間に所定の関係が成立しないと判定された場合、あるいは、前記第５の判定手段により当該オペレータはログオンオペレータ以外の他のオペレータでないと判定された場合、前記電子機器に対してあらかじめ定められた所定の制御を行なうことを特徴とする請求項４記載の顔照合を用いた電子機器制御装置。
【請求項６】
前記電子機器は各種情報を可視表示する表示装置を備えていて、
前記第３の制御手段による前記電子機器に対して行なうあらかじめ定められた所定の制御とは前記表示装置に対し警告メッセージを表示することを特徴とする請求項１、２、４のうちいずれか１つに記載の顔照合を用いた電子機器制御装置。
【請求項７】
前記電子機器は各種情報を可視表示する表示装置を備えていて、
前記第３の制御手段による前記電子機器に対して行なうあらかじめ定められた所定の制御とは前記表示装置の動作をロックすることを特徴とする請求項１、２、４のうちいずれか１つに記載の顔照合を用いた電子機器制御装置。
【請求項８】
前記第３の制御手段は、さらに、少なくとも前記画像取得手段により取得された当該オペレータの顔画像を履歴画像として記録することを特徴とする請求項６または請求項７記載の顔照合を用いた電子機器制御装置。
【発明の詳細な説明】
【技術分野】
【０００１】
本発明は、たとえば、顔画像による顔照合により、パーソナルコンピュータ等の電子機器を操作するオペレータがあらかじめ登録されその電子機器へのログオンが許可されているオペレータ（以下、ログオンオペレータと称す）であるか判定し、ログオンオペレータでない場合、あらかじめ登録されたログオンオペレータ以外の他のオペレータであるか否かを判定し、他のオペレータでない場合、電子機器に対してあらかじめ定められた所定の制御を行なう顔照合を用いた電子機器制御装置に関する。
【背景技術】
【０００２】
従来、たとえば、パーソナルコンピュータ等のアクセスコントロールでは、アクセス（ログオン）時にパスワード、ＩＤカード、生体認証などを用いて本人確認を行なっている（たとえば、特許文献１参照）。
【特許文献１】特開２００２−５５９５６号公報
【特許文献２】特開平９−２５１５３４号公報
【特許文献３】特開昭６４−７９８９５号公報
【発明の開示】
【発明が解決しようとする課題】
【０００３】
しかしながら、従来のアクセスコントロールでは、アクセス（ログオン）時のみ本人確認を行なう方式であるため、正常なオペレータがアクセスした後は、背後から画面を覗き見られてしまうという点で問題があり、そのため必要な情報（特に秘匿性の高い情報）の漏洩が守られない可能性がある。
【０００４】
そこで、本発明は、たとえば、パーソナルコンピュータ等の画面覗き見を防止することができ、情報漏洩の防止が図れる顔照合を用いた電子機器制御装置を提供することを目的とする。
【課題を解決するための手段】
【０００５】
本発明の顔照合を用いた電子機器制御装置は、電子機器を操作するオペレータの顔画像を取得する画像取得手段と、この画像取得手段により取得された顔画像をあらかじめ登録されたログオンオペレータの顔画像による第１の辞書情報と照合することにより当該オペレータはあらかじめ登録されたログオンオペレータであるか否かを判定する第１の判定手段と、この第１の判定手段により当該オペレータはログオンオペレータであると判定された場合、再び前記画像取得手段による顔画像の取得から処理を行なわせる第１の制御手段と、前記第１の判定手段により当該オペレータはログオンオペレータでないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定する第２の判定手段と、この第２の判定手段により当該オペレータはログオンオペレータ以外の他のオペレータであると判定された場合、再び前記画像取得手段による顔画像の取得から処理を行なわせる第２の制御手段と、
前記第２の判定手段により当該オペレータはログオンオペレータ以外の他のオペレータでないと判定された場合、前記電子機器に対してあらかじめ定められた所定の制御を行なう第３の制御手段とを具備している。
【０００６】
また、本発明の顔照合を用いた電子機器制御装置は、電子機器を操作するオペレータの顔画像を取得する画像取得手段と、この画像取得手段により取得された顔画像をあらかじめ登録されたログオンオペレータの顔画像による第１の辞書情報と照合することにより当該オペレータはあらかじめ登録されたログオンオペレータであるか否かを判定する第１の判定手段と、この第１の判定手段により当該オペレータはログオンオペレータであると判定された場合、当該オペレータの少なくとも顔部分の温度分布を測定して温度分布情報を得る温度分布測定手段と、この温度分布測定手段により得られた温度分布情報とあらかじめ登録された人間の顔部分の温度分布による第３の辞書情報とを照合することにより両情報の間に所定の関係が成立するか否かを判定する第２の判定手段と、この第２の判定手段により前記温度分布測定手段により得られた温度分布情報と第３の辞書情報との間に所定の関係が成立すると判定された場合、再び前記画像取得手段による顔画像の取得から処理を行なわせる第１の制御手段と、前記第１の判定手段により当該オペレータはログオンオペレータでないと判定された場合、あるいは、前記第２の判定手段により前記温度分布測定手段により得られた温度分布情報と第３の辞書情報との間に所定の関係が成立しないと判定された場合、前記画像取得手段により取得された顔画像をあらかじめ登録されたログオンオペレータ以外の他のオペレータの顔画像による第２の辞書情報と照合することにより当該オペレータはあらかじめ登録されたログオンオペレータ以外の他のオペレータであるか否かを判定する第３の判定手段と、この第３の判定手段により当該オペレータはログオンオペレータ以外の他のオペレータであると判定された場合、再び前記画像取得手段による顔画像の取得から処理を行なわせる第２の制御手段と、前記第３の判定手段により当該オペレータはログオンオペレータ以外の他のオペレータでないと判定された場合、前記電子機器に対してあらかじめ定められた所定の制御を行なう第３の制御手段とを具備している。
【発明の効果】
【０００７】
本発明によれば、たとえば、パーソナルコンピュータ等の画面覗き見を防止することができ、情報漏洩の防止が図れる顔照合を用いた電子機器制御装置を提供できる。
【発明を実施するための最良の形態】
【０００８】
以下、本発明の実施の形態について図面を参照して説明する。  
図１は、本実施の形態に係る顔照合を用いた電子機器制御装置の構成を概略的に示すものである。この電子機器制御装置は、たとえば、表示装置（ディスプレイ）１２を備えたパーソナルコンピュータ（以下、パソコンと略称する）１１を被制御機器とするもので、パソコン１１を操作するオペレータ（以下、人物ともいう）１０の顔画像（少なくとも顔を含んでいる画像）を撮像して入力する画像取得手段としてのカメラ１３、オペレータ１０の少なくとも顔部分の温度分布を測定して温度分布情報を得る温度分布測定手段としてのサーモグラフィ１４、カメラ１３から入力された画像を処理して当該人物固有の入力特徴情報（顔特徴情報）を取得する顔特徴取得手段としての顔特徴取得部１５、あらかじめ登録されているログオンオペレータの顔画像による登録特徴情報（顔特徴情報）を第１の辞書情報として記憶（登録）するとともに、あらかじめ登録されているログオンオペレータ以外の他のオペレータの顔画像による登録特徴情報（顔特徴情報）を第２の辞書情報として記憶（登録）する第１の辞書記憶部１６、人間の顔部分における温度分布パターンを第３の辞書情報として記憶（登録）し、かつ、あらかじめ登録されているログオンオペレータの顔部分における温度分布パターンを第４の辞書情報として記憶（登録）するとともに、あらかじめ登録されているログオンオペレータ以外の他のオペレータの顔部分における温度分布パターンを第５の辞書情報として記憶（登録）する第２の辞書記憶部１７、顔特徴取得部１５から得られた入力特徴情報と第１の辞書記憶部１６内の第１の辞書情報あるいは第２の辞書情報とを照合することにより両情報の間に所定の関係が成立するか否かを判定したり、サーモグラフィ１４から得られた顔部分の温度分布情報と第２の辞書記憶部１７内の第３の辞書情報あるいは第４の辞書情報あるいは第５の辞書情報とを照合することにより両情報の間に所定の関係が成立するか否かを判定したりする判定手段としての照合部１８、および、照合部１８の判定結果に応じてパソコン１１に対してあらかじめ定められた所定の制御を行なう制御手段としての制御部１９を有して構成されている。
【０００９】
カメラ１３は、オペレータ１０の顔画像（少なくとも顔を含んでいる画像）を撮像して入力するものであり、たとえば、ＣＣＤセンサなどの撮像素子を用いたテレビジョンカメラから構成されている。  
サーモグラフィ１４は、たとえば、赤外線などを用いてオペレータ１０の少なくとも顔部分の温度分布を測定するものである。
【００１０】
顔特徴取得部１５は、カメラ１３から入力された画像において、人物の顔を検出して入力特徴情報を抽出（取得）する。顔の検出方法としては、たとえば、文献（福井和広、山口修：「形状抽出とパターン照合の組合せによる顔特徴点抽出」、電子情報通信学会論文誌（Ｄ），ｖｏｌ．Ｊ８０−Ｄ−ＩＩ，Ｎｏ．８，ｐｐ２１７０−２１７７（１９９７））などの方法を用いることで、精度の高い顔の検出が実現可能である。この場合、あらかじめ用意されたテンプレートを画像中を移動させながら相関値を求めることにより、最も高い相関値を持った場所を顔領域とする。
【００１１】
第１の辞書記憶部１６は、あらかじめ登録されているログオンオペレータの顔特徴情報を第１の辞書情報として記憶するとともに、あらかじめ登録されているログオンオペレータ以外の他のオペレータの顔特徴情報を第２の辞書情報として記憶しておくものである。登録する第１、第２の辞書情報としては、入力された顔画像、抽出した特徴量、部分空間、部分空間を構成するための固有ベクトル、相関行列、登録の際の時刻、日時、場所などの状況情報、暗証番号、ＩＤ番号などの個人情報といったものがあげられ、必要に応じて記憶しておくことが可能とするが、本実施の形態においては、辞書登録時、顔特徴取得部１５で取得された顔切出し画像をＫＬ展開によって固有空間に変換して得られたベクトル情報を保存するものとし、この情報を辞書情報として扱う。
【００１２】
第２の辞書記憶部１７は、人間の顔部分における平均的な温度分布パターンを第３の辞書情報として記憶するとともに、あらかじめ登録されているログオンオペレータの顔部分における温度分布パターンを第４の辞書情報として記憶するとともに、あらかじめ登録されているログオンオペレータ以外の他のオペレータの顔部分における温度分布パターンを第５の辞書情報として記憶しておくものである。
【００１３】
この場合、第３、第４、第５の辞書情報は、季節、時間、温度等の環境のうち少なくともいずれか１つの環境、この例では例えば季節（春、夏、秋、冬）ごとに登録されていて、当該電子機器制御装置が運用される季節に対応する第２、第４、第５の辞書情報が選択されて照合に使用されるようになっている。
【００１４】
なお、第４、第５の辞書情報は、たとえば、第１、第２の辞書情報の登録時に、サーモグラフィ１４で測定することにより登録が行なわれるものとするが、第１、第２の辞書情報が顔写真により登録される場合は、最初の顔照合時に自動登録するようにしてもよい。
【００１５】
照合部１８は、顔特徴取得部１５から得られた入力特徴情報と第１の辞書記憶部１６内の第１の辞書情報とを照合することにより、入力特徴情報と第１の辞書情報との類似度を求め、求めた類似度が閾値よりも高い場合には当該オペレータはあらかじめ登録されたログオンオペレータであると判定し、求めた類似度が閾値よりも低い場合にはログオンオペレータではないと判定する。
【００１６】
照合部１８は、顔特徴取得部１５から得られた入力特徴情報と第１の辞書記憶部１６内の第２の辞書情報とを照合することにより、入力特徴情報と第２の辞書情報との類似度を求め、求めた類似度が閾値よりも高い場合には当該オペレータはあらかじめ登録されたログオンオペレータ以外の他のオペレータであると判定し、求めた類似度が閾値よりも低い場合にはログオンオペレータ以外の他のオペレータではないと判定する。
【００１７】
照合部１８は、顔特徴取得部１５で検出された顔領域に相当するサーモグラフィ１４から得られた顔部分の温度分布情報と第２の辞書記憶部１７内の第３の辞書情報とを照合することにより、両情報の間に所定の関係が成立するか否か、たとえば、温度分布情報と第３の辞書情報との類似度を求め、求めた類似度が閾値よりも高い場合には人間の顔であると判定し、求めた類似度が閾値よりも低い場合には人間の顔ではないと判定する。
【００１８】
照合部１８は、顔特徴取得部１５で検出された顔領域に相当するサーモグラフィ１４から得られた顔部分の温度分布情報と第２の辞書記憶部１７内の第４の辞書情報とを照合することにより、温度分布情報と第４の辞書情報との類似度を求め、求めた類似度が閾値よりも高い場合には当該オペレータはあらかじめ登録されたログオンオペレータであると判定し、求めた類似度が閾値よりも低い場合にはログオンオペレータではないと判定する。
【００１９】
照合部１８は、顔特徴取得部１５で検出された顔領域に相当するサーモグラフィ１４から得られた顔部分の温度分布情報と第２の辞書記憶部１７内の第５の辞書情報とを照合することにより、温度分布情報と第５の辞書情報との類似度を求め、求めた類似度が閾値よりも高い場合には当該オペレータはあらかじめ登録されたログオンオペレータ以外の他のオペレータであると判定し、求めた類似度が閾値よりも低い場合にはログオンオペレータ以外の他のオペレータではないと判定する。
【００２０】
制御部１９は、照合部１８によりログオンオペレータではなく、かつ、ログオンオペレータ以外の他のオペレータではないと判定された場合、パソコン１１に対してあらかじめ定められた所定の制御を行なう。ここで、あらかじめ定められた所定の制御とは、たとえば、表示装置１２に対し警告メッセージを表示したり、表示装置１２に対し動作をロック（スクリーンロック）したりすることである。
【００２１】
制御部１９は、照合部１８によりログオンオペレータではなく、かつ、ログオンオペレータ以外の他のオペレータではないと判定された場合、さらに、少なくともカメラ１３から得られた当該オペレータの顔画像を履歴画像として記録する。
【００２２】
次に、このような構成において、図２に示すフローチャートを参照して動作を説明する。  
オペレータ１０がパソコン１１の前に位置すると、カメラ１３はオペレータ１０の画像を撮影して入力するとともに、サーモグラフィ１４はオペレータ１０の顔部分の温度分布を測定して温度分布情報を入力する（ステップＳ１）。カメラ１３によりオペレータ１０の顔画像が入力され、サーモグラフィ１４によりオペレータ１０の顔部分の温度分布情報が入力されると、照合部１８は、これら顔画像および温度分布情報を用いて当該オペレータはあらかじめ登録されたログオンオペレータであるか否かを判定する（ステップＳ２）。
【００２３】
ステップＳ２の判定の結果、ログオンオペレータであればステップＳ１に戻り、上記動作を繰り返す。ステップＳ２の判定の結果、ログオンオペレータでなければ、照合部１８は、ステップＳ１で入力された顔画像および温度分布情報を用いて当該オペレータはあらかじめ登録されたログオンオペレータ以外の他のオペレータであるか否かを判定する（ステップＳ３）。
【００２４】
ステップＳ３の判定の結果、ログオンオペレータ以外の他のオペレータであればステップＳ１に戻り、上記動作を繰り返す。ステップＳ３の判定の結果、ログオンオペレータ以外の他のオペレータでなければ、照合部１８は、その旨の信号を制御部１９へ送る。
【００２５】
制御部１９は、照合部１８からログオンオペレータ以外の他のオペレータではない旨の信号を受取ると、パソコン１１に対してあらかじめ定められた所定の制御を行なう。たとえば、表示装置１２に対し警告メッセージを表示したり、表示装置１２に対し動作をロック（スクリーンロック）したりする（ステップＳ４）。
【００２６】
次に、ステップＳ２におけるログオンオペレータであるか否かの処理について、図３に示すフローチャートを参照して詳細に説明する。  
まず、顔特徴取得部１５により取得された入力特徴情報と第１の辞書記憶部１６に記憶されている第１の辞書情報とを照合することにより、入力特徴情報と第１の辞書情報との類似度を求め、求めた類似度が閾値よりも高い場合には当該オペレータはあらかじめ登録されたログオンオペレータであると判定し、求めた類似度が閾値よりも低い場合にはログオンオペレータではないと判定する（ステップＳ１１）。ここに、ステップＳ１１の処理が本発明の請求項１，２，４における第１の判定手段に対応している。
【００２７】
ステップＳ１１において、ログオンオペレータではないと判定された場合、ステップＳ３へ進み、ログオンオペレータであると判定された場合、たとえば、図示しないカレンダ機能を参照することにより現在の季節を判定し、この判定した季節に対応する第３の辞書情報を第２の辞書記憶部１７内から選択し、この選択した第３の辞書情報と、顔特徴取得部１５で検出された顔領域に相当するサーモグラフィ１４から得られた顔部分の温度分布情報とを照合することにより、温度分布情報と第３の辞書情報との類似度を求め、求めた類似度が閾値よりも高い場合には人間の顔であると判定し、求めた類似度が閾値よりも低い場合には人間の顔ではないと判定する（ステップＳ１２）。ここに、ステップＳ１２の処理が本発明の請求項２，４における第２の判定手段に対応している。
【００２８】
ステップＳ１２において、人間の顔ではないと判定された場合、ステップＳ３へ進み、人間の顔であると判定された場合、温度分布による顔照合を行なうか否かを判定する（ステップＳ１３）。すなわち、温度分布による顔照合を行なうか否かを設定する設定スイッチ（図示しない）が設けられていて、この設定スイッチの設定内容を参照することにより判定するようになっている。
【００２９】
ステップＳ１３において、温度分布による顔照合を行なわないと判定された場合、ステップＳ１に戻り、温度分布による顔照合を行なうと判定された場合、ステップＳ１１と同様に現在の季節を判定し、この判定した季節に対応する第４の辞書情報を第２の辞書記憶部１７内から選択し、この選択した第４の辞書情報と、顔特徴取得部１５で検出された顔領域に相当するサーモグラフィ１４から得られた顔部分の温度分布情報とを照合することにより、温度分布情報と第４の辞書情報との類似度を求め、求めた類似度が閾値よりも高い場合には当該オペレータはあらかじめ登録されたログオンオペレータであると判定し、求めた類似度が閾値よりも低い場合にはログオンオペレータではないと判定する（ステップＳ１４）。ここに、ステップＳ１４の処理が本発明の請求項３における第４の判定手段に対応している。
【００３０】
ステップＳ１４において、ログオンオペレータではないと判定された場合、ステップＳ３へ進み、ログオンオペレータであると判定された場合、ステップＳ１に戻る。
【００３１】
次に、ステップＳ３におけるログオンオペレータ以外の他のオペレータであるか否かの処理について、図４に示すフローチャートを参照して詳細に説明する。  
まず、顔特徴取得部１５により取得された入力特徴情報と第１の辞書記憶部１６に記憶されている第２の辞書情報とを照合することにより、入力特徴情報と第２の辞書情報との類似度を求め、求めた類似度が閾値よりも高い場合には当該オペレータはあらかじめ登録されたログオンオペレータ以外の他のオペレータであると判定し、求めた類似度が閾値よりも低い場合にはログオンオペレータ以外の他のオペレータではないと判定する（ステップＳ２１）。ここに、ステップＳ２１の処理が本発明の請求項１における第２の判定手段および請求項２，４における第３の判定手段に対応している。
【００３２】
ステップＳ２１において、ログオンオペレータ以外の他のオペレータではないと判定された場合、ステップＳ４へ進み、ログオンオペレータ以外の他のオペレータであると判定された場合、たとえば、図示しないカレンダ機能を参照することにより現在の季節を判定し、この判定した季節に対応する第３の辞書情報を第２の辞書記憶部１７内から選択し、この選択した第３の辞書情報と、顔特徴取得部１５で検出された顔領域に相当するサーモグラフィ１４から得られた顔部分の温度分布情報とを照合することにより、温度分布情報と第３の辞書情報との類似度を求め、求めた類似度が閾値よりも高い場合には人間の顔であると判定し、求めた類似度が閾値よりも低い場合には人間の顔ではないと判定する（ステップＳ２２）。ここに、ステップＳ２２の処理が本発明の請求項４における第４の判定手段に対応している。
【００３３】
ステップＳ２２において、人間の顔ではないと判定された場合、ステップＳ４へ進み、人間の顔であると判定された場合、温度分布による顔照合を行なうか否かを判定する（ステップＳ２３）。すなわち、温度分布による顔照合を行なうか否かを設定する設定スイッチ（図示しない）が設けられていて、この設定スイッチの設定内容を参照することにより判定するようになっている。
【００３４】
ステップＳ２３において、温度分布による顔照合を行なわないと判定された場合、ステップＳ１に戻り、温度分布による顔照合を行なうと判定された場合、ステップＳ２１と同様に現在の季節を判定し、この判定した季節に対応する第５の辞書情報を第２の辞書記憶部１７内から選択し、この選択した第５の辞書情報と、顔特徴取得部１５で検出された顔領域に相当するサーモグラフィ１４から得られた顔部分の温度分布情報とを照合することにより、温度分布情報と第５の辞書情報との類似度を求め、求めた類似度が閾値よりも高い場合には当該オペレータはあらかじめ登録されたログオンオペレータ以外の他のオペレータであると判定し、求めた類似度が閾値よりも低い場合にはログオンオペレータ以外の他のオペレータではないと判定する（ステップＳ２４）。ここに、ステップＳ２４の処理が本発明の請求項５における第５の判定手段に対応している。
【００３５】
ステップＳ２４において、ログオンオペレータ以外の他のオペレータではないと判定された場合、ステップＳ４へ進み、ログオンオペレータ以外の他のオペレータであると判定された場合、ステップＳ１に戻る。
【００３６】
なお、前記実施の形態では、顔画像による顔照合と顔部分の温度分布による顔照合とを組合わせた場合について説明したが、必ずしも両顔照合を組合わせる必要はなく、少なくとも顔画像による顔照合を用いればよい。
【００３７】
また、前記実施の形態では、被制御機器がパソコンの場合について説明したが、本発明はこれに限定されるものではなく、たとえば、各種測定器や試験器など、他の電子機器であっても同様に適用できる。
【図面の簡単な説明】
【００３８】
【図１】本発明の実施の形態に係る顔照合を用いた電子機器制御装置の構成を概略的に示す構成図。
【図２】全体的な動作を説明するフローチャート。
【図３】ログオンオペレータであるか否かの処理について詳細に説明するフローチャート。
【図４】ログオンオペレータ以外の他のオペレータであるか否かの処理について詳細に説明するフローチャート。
【符号の説明】
【００３９】
１…オペレータ（人物）、１１…パソコン（電子機器）、１２…表示装置、１３…カメラ（画像取得手段）、１４…サーモグラフィ（温度分布測定手段）、１５…顔特徴取得部、１６…第１の辞書記憶部、１７…第２の辞書記憶部、１８…照合部（判定手段）、１９…制御部（制御手段）。
【図１】
2005115461.tif 000003
【図２】
2005115461.tif 000004
【図３】
2005115461.tif 000005
【図４】
2005115461.tif 000006